(57)【要約】【課題】  エンジンオイルの交換を迅速かつ円滑に行うことができる作業器を用意し、廃油切りを確実に行うとともに抜き取った廃油の質や色を確認することによって、混入する金属粉末の量を把握してエンジンの現在状態を確認し、車種に適合するエンジンオイルの交換を行うことを目的とする。【解決手段】  移動可能な台板１の左右前後両側部に立設した管脚２,２,２,２の中間前後部間に架設した左右支板４,４間に円環枠５を枢着６し、この円環枠の一方の枢着部にハンドル７を連設して回動し得るようにし、前記一方の支板の一部に枠杆８を設け、台板上に載置する廃油トレー１１の内面部を白色に形成し、左右両側部の管脚の上側部は傾斜腕部１２,１２と水平腕部１３,１３に形成し、この左右水平腕部間に設置した函体１５にオイル切り網部１６及び工具載置部を設け、後側部左右の管脚下側部間には載置するオイル罐のオイル品質表示看板１８を設けて成る。【選択図】    図３
2007064351.tif 000002
【特許請求の範囲】
【請求項１】
オイル罐を登載する移動可能な作業器であり、この作業台には廃油トレー、ジョッキ、タオル、クリーナーを収納し、作業台一部に交換オイルの品質表示板を設けて成ることを特徴とするエンジンオイル交換用作業器。
【請求項２】
移動可能な台板の左右前後両側部に立設した管脚の中間前後部間に架設した左右支板間にオイル罐を載置する円環枠を枢着し、この円環枠の一方の枢着部にハンドルを連設して回動し得るようにし、前記一方の支板の一部にジョッキを掛止める枠杆を設け、前記台板上に載置する廃油トレーの内面部を白色に形成し、前記左右両側部の管脚の上側部は傾斜腕部及び水平腕部に延長して形成し、この左右の水平腕部の後端部間に把持杆を設け、前記左右水平腕部間に設置した函体にオイル切り網部及び工具載置部を設け、前記後側部左右の管脚の下側部間には載置する前記オイル罐のオイル品質表示をした看板を設けて成ることを特徴とするエンジンオイル交換用作業器。
【発明の詳細な説明】
【技術分野】
【０００１】
本発明は、エンジンオイル交換用作業器に関するものである。
【背景技術】
【０００２】
自動車等において使用されるエンジンオイルを古いものから新しいものに交換するための作業機器については従来、次のようなものが公知となっている。
【０００３】
【特許文献１】特開平６−４８４９４号公報
【特許文献２】特許第３４１０２７４号公報
【特許文献３】登録実用新案第３００１９０３号公報
【０００４】
しかし、これらの機器はいずれも、交換するエンジンオイルの品質を表示して顧客が運転する自動車の種類等によって使用するオイルを使い分ける等の対応がなされているものではなかったし、大重量のオイル罐から適量の交換オイルをジョッキに移す作業の厳しさを改善するようなものではなかった。
【発明の開示】
【発明が解決しようとする課題】
【０００５】
そこで、本発明は、旧新エンジンオイルの交換を常に迅速かつ円滑に行うことができる作業器を用意し、廃油切りを確実に行うとともに抜き取った廃油の状態を、廃油の質や色を確認することによって、混入する金属粉末の量や状況を確実に把握し、エンジンの現在状態を確認し、各車種に適合する規格のエンジンオイルの交換を確実に行うことを目的とするものである。
【課題を解決するための手段】
【０００６】
本発明は、オイル罐を登載する移動可能な作業器であり、この作業器には廃油トレー、ジョッキ、タオル、クリーナーを収納し、作業器一部に交換オイルの品質表示板を設けて成るものである。
【０００７】
さらに本発明は、移動可能な台板の左右前後両側部に立設した管脚の中間前後部間に架設した左右支板間にオイル罐を載置する円環枠を枢着し、この円環枠の一方の枢着部にハンドルを連設して回動し得るようにし、前記一方の支板の一部にジョッキを掛止める枠杆を設け、前記台板上に載置する廃油トレーの内面部を白色に形成し、前記左右両側部の管脚の上側部は傾斜腕部と水平腕部に延長して形成し、この左右の水平腕部の後端部間に把持杆を架設し、前記左右水平腕部間に設置した函体にオイル切り網部及び工具載置部を設け、前記後側部左右の管脚の下側部間には載置する前記オイル罐のオイル品質表示をした看板を設けて成るものである。
【発明の効果】
【０００８】
第１に、車種によって異なるエンジンオイルの粘度指数において、対寒性が最強、中強、小強と分かれているオイルを、本作業器の一側面に設置している看板の表示を見ることによって、顧客も作業員も容易に選択し、常に最適なエンジンオイルを使用することができるようになる。
【０００９】
第２に、作業員は、本作業器に用意してある前記交換オイルの重量あるオイル罐を、ハンドルを持って回動してジョッキに適量移した後にエンジンに注入するものであるから、オイル交換の作業を迅速かつ安楽に行うことができる。
【００１０】
第３に、用済みのエンジンオイルを白色にしたトレー内に流すことによって、廃油の質や色を容易に確認することができるから、廃油に混入している金属粉末の種類を確実に識別することができ、廃油の状態を確認することによりエンジンの状態をよく判断することができるから、必要に応じてエンジンの洗浄を遅滞なく行うことができる。また、エンジンフィルターの交換を直に行うことができる。
【００１１】
第４に、エンジンから取外したオイルドレンコックやオイルエレメントを必ず函体上のオイル切り網部上に逆様状態に置くから、これらの紛失を防止することができるとともに廃油切りを確実に行うことができる。
【００１２】
第５に、ペーパータオルやクリーナーを作業器の一部に用意しておく構造であるから、作業員の労力を軽減し、作業効率を良好に高めることができる。
【発明を実施するための最良の形態】
【００１３】
自動車整備工場等においては、各種品質の異なるエンジン用交換オイルのオイル罐を、ＳＡＥ規格を表示した看板を設置した各作業器の円環枠部にそれぞれ載置しておくから、常時、数台の異種オイル罐を登載した作業器を用意する。
【００１４】
作業員は顧客の車種を見て、その車種に適合する規格のエンジンオイルを勧め、旧オイルを抜き取った後、ハンドルを作動してオイル罐を回動し、新オイルをジョッキに注入する。
【００１５】
この間、エンジン中のオイルドレンコックやオイルエレメントを作業器の函体上のオイル切り網部に逆様状態に置き、油切りを行う。
【００１６】
また、前記廃油トレー内のオイル状態を見て混入金属粉末等を識別し、必要に応じてエンジン全体の洗浄やフィルターの交換を行う。
【実施例】
【００１７】
１は台板で、この台板は左右前後両側部に立設した管脚２，２，２，２の下端部を固定しかつその下端にキャスター３，３，３，３を設けている。
【００１８】
４，４は左右の管脚２，２の前後部間に架設した支板で、この支板間には円環枠５を枢着６，６する。この円環枠５の一方の枢着６部にはハンドル７を連設し、作業者はハンドルを把持作動して円環枠５を回動する。前記円環枠にはオイル罐ａを載置しておく。
【００１９】
８は前記ハンドル７が枢着する支板４の一部に設けた枠杆で、この枠杆にはジョッキｂを逆様状態にして掛止めしておく。
【００２０】
９は前記ハンドル７やジョッキ枠杆８の設置側の管脚２の下端部に設けた受け板で、この受け板のやや上方部の管脚２に小枠杆１０を設け、この小枠杆と受け板との間にはクリーナーｃを載置する。
【００２１】
１１は前記台板１上に常時載置しておく廃油トレーで、この廃油トレーの内面部１１'は白色に彩色して成る。
【００２２】
前記前面左右両側部の管脚２，２の上側部は、傾斜腕部１２，１２に成るとともに延長して水平腕部１３，１３に成り、この水平腕部の後側部は前記後側左右両側の脚管２，２の上端部に連結し、さらに後側方に延長した後端部間には把持杆１４を架設する。
【００２３】
１５は前記左右水平腕部１３，１３間に設置した函体で、この函体の一角部にはオイル切り網部１６を設け、ここにオイルドレンコックやオイルエレメントｄを逆様状態に置き、その内部に付着した廃油切りを行う。前記函体１５の他部分には作業工具等を載置しておく。
【００２４】
１７，１７は前記函体１５下方位置の前記後側部左右の管脚２，２に設けたペーパータオル・ホルダー受け部で、この両受け部間にはペーパータオル・ホルダーｅを掛止めする。
【００２５】
１８は前記後側部左右の管脚２，２の下側部間に設置する任意の看板で、使用するエンジンオイルの品質種類や商標などを表示している。整備工場等においては、規格の異なるエンジンオイルのオイル罐ａを本作業器に登載して必要数用意し、車種にそれぞれ適合するオイルを使用し、顧客の需要に応えることができるようにする。
【図面の簡単な説明】
【００２６】
【図１】全体の右側正斜視図
【図２】全体の左側正斜視図
【図３】全体の右側背斜視図
【図４】全体の右側面図
【図５】全体の平面図
【図６】要部の斜視図
【符号の説明】
【００２７】
１                    台板
２，２，２，２        管脚
３，３，３，３        キャスター
４，４                支板
５                    円環枠
６，６                枢着部
７                    ハンドル
８                    枠杆
９                    受け板
１０                  小枠杆
１１                  廃油トレー
１１'                廃油トレーの内面部
１２，１２            傾斜腕部
１３，１３            水平腕部
１４                  把持杆
１５                  函体
１６                  オイル切り網部
１７，１７            ペーパータオル・ホルダー受け部
１８                  表示看板
【図１】
2007064351.tif 000003
【図２】
2007064351.tif 000004
【図３】
2007064351.tif 000005
【図４】
2007064351.tif 000006
【図５】
2007064351.tif 000007
【図６】
2007064351.tif 000008